(57)【要約】【課題】実装部品数とアクティブアライメント回数の少ない波長および光出力モニタ機能を有する光送信モジュールを提供する。【解決手段】発光素子１６から出力されるモニタ用のレーザ光を所定の末広がり状のレーザ光にするレンズ１８と、末広がり状のレーザ光の照射領域内に配置されてレーザ光の一部を受光する第１の受光素子１９と、末広がり状のレーザ光の照射領域内に配置されてレーザ光の他部を受光する第２の受光素子２０と、レンズ１８と第１の受光素子１９との間に配置される光フィルタ２１と、第１の受光素子１９と第２の受光素子２０および光フィルタ２１を一体に取り付ける受光素子用キャリア２２を有する。【選択図】  図１
2004349606.tif 000002
【特許請求の範囲】
【請求項１】
所定波長のレーザ光を出力する発光素子と、
前記発光素子の一方の端面から出力されるレーザ光を外部に送出する光ファイバ接続部と、
前記発光素子の他方の端面から出力されるレーザ光を末広がり状のレーザ光にするレンズと、
前記末広がり状のレーザ光の照射領域内に配置され、レーザ光の一部を受光する第１の受光素子と、
前記末広がり状のレーザ光の照射領域内に配置され、レーザ光の他部を受光する第２の受光素子と、
前記レンズと前記第１の受光素子の間に配置され、所定波長帯のレーザ光のみを透過させる光フィルタと、
前記第１の受光素子、前記第２の受光素子、および前記光フィルタを一体に取り付けた受光素子用キャリアと、
を有することを特徴とする光送信モジュール。
【請求項２】
前記レンズは、屈折レンズ、または回折レンズであることを特徴とする請求項１記載の光送信モジュール。
【請求項３】
前記屈折レンズ、または回折レンズは、凸レンズ、または凹レンズであることを特徴とする請求項２記載の光送信モジュール。
【請求項４】
前記レンズは、水平方向と垂直方向で異なる曲率を有する非球面レンズであることを特徴とする請求項２または請求項３記載の光送信モジュール。
【請求項５】
前記光フィルタは、誘電体多層膜からなることを特徴とする請求項１記載の光送信モジュール。
【請求項６】
末広がり状のレーザ光の照射領域内に配置され、レーザ光の一部を受光する第１の受光素子と、
前記末広がり状のレーザ光の照射領域内に配置され、レーザ光の他部を受光する第２の受光素子と、
前記第１の受光素子の受光方向に所定の距離を隔てて配置され、所定波長帯のレーザ光を透過させる光フィルタと、
を一体に実装したことを特徴とする受光素子用キャリア。
【請求項７】
角柱状ブロックの第１の主面に第１および第２の凸部を形成し、前記第１の受光素子が前記第１および第２の凸部の間の第１の主面に固着され、前記光フィルタが前記第１の受光素子を覆うように前記第１および第２の凸部にブリッジ状に固着され、前記第２の受光素子が前記第１および第２の凸部の間を除く前記第１の主面に固着されていることを特徴とする請求項６記載の受光素子用キャリア。
【請求項８】
角柱状ブロックの第１の主面に開口溝を形成し、前記第１の受光素子が前記開口溝の底面部に固着され、前記光フィルタが前記第１の受光素子を覆うように前記開口溝に跨って前記第１の主面に固着され、前記第２の受光素子が前記光フィルタに隣接して前記第１の主面に固着されていることを特徴とする請求項６記載の受光素子用キャリア。
【請求項９】
前記第１の受光素子の裏面電極および表面電極を外部に導出する第１の接続配線と、前記第２の受光素子の裏面電極および表面電極を外部に導出する第２の接続配線とが、前記第１の主面とこの主面に連接する第２の主面とに跨ってそれぞれ形成されていることを特徴とする請求項７または請求項８記載の受光素子用キャリア。
【発明の詳細な説明】
【０００１】
【発明の属する技術分野】
本発明は、光通信システムに用いられる光送信モジュールに係わり、特に、波長分割多重通信システムにおける波長および光出力をモニタするのに好適な構造を有する光送信モジュールおよび受光素子を実装する受光素子用キャリアに関する。
【０００２】
【従来の技術】
波長分割多重（ＷＤＭ：Ｗａｖｅｌｅｎｇｔｈ  Ｄｉｖｉｓｉｏｎ  Ｍｕｌｔｉｐｌｅｘｉｎｇ）通信システムにおいては、光通信の波長および光出力が長期にわたって安定していることが不可欠であり、そのために波長および光出力モニタ機能を光送信モジュールの筐体内に設けた波長および光出力モニタ内蔵型の光送信モジュールが開発されている（例えば、特許文献１参照。）。
【０００３】
図９は特許文献１に開示された波長および光出力モニタを内蔵した光送信モジュールの構成を示したものである。
【０００４】
図９に示すように、従来の波長および光出力モニタ内蔵型の光送信モジュール１０１は、所定波長のレーザ光を出力する発光素子１０２と、発光素子１０２の一方の端面（紙面上で右側）から出力されるレーザ光を外部に送出する光ファイバ接続部１０３と、発光素子１０２の他方の端面（紙面上で左側）から出力されるレーザ光を擬似平行光にするレンズ１１２と、この擬似平行のレーザ光を透過方向（紙面上で左側）と、透過方向に垂直な反射方向（紙面上で下側）との２つに分岐するハーフミラーからなるビームスプリッタ１０４と、ビームスプリッタ１０４によって分岐された一方のレーザ光を所定波長帯のレーザ光のみ透過させる光フィルタ１０５で透過させた後に受光する第１の受光素子１０６を端面に搭載した第１のＰＤキャリア１０７と、ビームスプリッタ１０４によって分光された他方のレーザ光を受光する第２の受光素子１０８を端面に搭載した第２のＰＤキャリア１０９と、発光素子１０２の温度を調整するペルチェモジュール１１０と、第１の受光素子１０６および第２の受光素子１０８から出力される受光電流に基づいて、発光素子１０２の波長を制御するように、ペルチェモジュール１１０を制御する制御部１１１とを有している。
【０００５】
そして、発光素子１０２の他方の端面から出力されたレーザ光は、レンズ１１２により擬似平行化され、ビームスプリッタ１０４によって透過方向と、透過方向に垂直な反射方向との２つの方向に分岐され、透過方向に分岐されたレーザ光は、光フィルタ１０５（特許文献１では誘電体多層膜）により波長フィルタリングが行われた後、第１の受光素子１０６によって受光され、波長がモニタされる。
【０００６】
一方、反射方向に分岐されたレーザ光は、第２の受光素子１０８によって受光され、光出力がモニタされる。
【０００７】
このような構造の光送信モジュールにおいては、所定の波長および光出力モニタを機能させるためには、発光素子１０２からレーザ光を出力させた状態で所定の光学的結果が得られるようにアクティブアライメントをおこなう必要がある。
【０００８】
即ち、始めに、発光素子１０２の他方の端面からのレーザ光を擬似平行化するレンズ１１２の位置を調整するための第１のアクティブアライメントをおこなう。
【０００９】
次に、波長モニタ用の第１の受光素子１０６を第１のＰＤキャリア１０７に、光出力モニタ用の第２の受光素子１０８を第２のＰＤキャリア１０９にそれぞれ実装した後、それぞれの受光素子１０６、１０８に適度の光が入射するようにビームスプリッタ１０４の位置を調整するための第２のアクティブアライメントをおこなう。
【００１０】
更に、光フィルタ１０５を所望の波長で所望のモニタ出力が得られるようにレーザ光の入射角度を調整するための第３のアクティブアライメントをおこなう。
【００１１】
このように、所定の波長および光出力モニタを機能させるためには、都合３回のアクティブアライメントと、波長モニタ用の第１の受光素子１０６および光出力モニタ用の第２の受光素子１０８をそれぞれ第１のＰＤキャリア１０７と、第２のＰＤキャリア１０９に実装しなければならない。
【００１２】
そのため、この光送信モジュールでは、数多くの部品の実装およびアクティブアライメントに多大の時間と労力を要するだけでなく、光送信モジュールの組立て歩留まりを低下させるという問題がある。
【００１３】
さらに、発光素子から受光素子へのそれぞれの光路を確保しなければならず、光送信モジュールを小型化することが難しい。
【００１４】
これとは別に、予め第１および第２の受光素子を同一の平面に実装した光送信モジュールが知られている（例えば、特許文献２参照。）。
【００１５】
図１０に示すように、特許文献２に開示された光送信モジュール１５１では、波長および光出力をモニタするために、発光素子１５２の他方の端面から出力されたモニタ用のレーザ光を平行にするレンズ１５３と、平行光を光軸方向に対して９０度未満の所定角度θ１、θ２に傾斜した２つの方向に分岐するプリズム１５４と、プリズム１５４によって分岐された一方のレーザ光を受光する第１の受光素子１５５と、プリズム１５４によって分岐された他方のレーザ光を受光する第２の受光素子１５６と、第１の受光素子１５５とプリズム１５４の間に配置され所定の波長帯のレーザ光のみを透過させる光フィルタ１５７と、第１の受光素子１５５および第２の受光素子１５６を同一の取り付け面１５８上に取り付けるＰＤキャリア１５９を有している。
【００１６】
このような構造の光送信モジュール１５１においては、ＰＤキャリア数の削減と受光素子を実装する手間が節約できるが、所定の波長および光出力モニタを機能させるためには、特許文献１に開示された光送信モジュールと同じく３回の所定の光学的なアクティブアライメントをおこなうが必要がある。
【００１７】
即ち、発光素子１５２の裏面からの光が平行光となるようにレンズ１５３の位置を調整するための第１のアクティブアライメントと、予め同一の取り付け面１５８に取り付けられた第１の受光素子１５５および第２の受光素子１５６に適度の光が入射するようにプリズム１５４の位置を調整するための第２のアクティブアライメントと、光フィルタ１５７（特許文献２ではエタロン）を所定の波長およびモニタ出力が得られるようにレーザ光の入射角度を調整する第３のアクティブアライメントが必要である。
【００１８】
【特許文献１】
特開２０００−５６１８５号公報（４頁、図２）
【００１９】
【特許文献２】
特開２００２−３３５０３６号公報（５頁、図１）
【００２０】
【発明が解決しようとする課題】
上述した従来の光送信モジュールでは、波長および光出力モニタを機能させるためには、数多くの部品の実装とアクティブアライメントを繰り返す必要があり、組立て工程が増加して組立て時間が長くなる。また、組立て歩留まりが低下して製品コストの増大を招く恐れがある。
【００２１】
本発明は、上記問題点を解決するためになされたもので、部品数およびアライメント回数の削減により組立て時間の短縮と製品コストの低減を図った光送信モジュールおよび受光素子用キャリアを提供することを目的とする。
【００２２】
【課題を解決するための手段】
上記目的を達成するために、本発明の一態様の光送信モジュールでは、所定波長のレーザ光を出力する発光素子と、前記発光素子の一方の端面から出力されるレーザ光を外部に送出する光ファイバ接続部と、前記発光素子の他方の端面から出力されるレーザ光を末広がり状のレーザ光にするレンズと、前記末広がり状のレーザ光の照射領域内に配置され、レーザ光の一部を受光する第１の受光素子と、前記末広がり状のレーザ光の照射領域内に配置され、レーザ光の他部を受光する第２の受光素子と、前記レンズと前記第１の受光素子の間に配置され、所定波長帯のレーザ光のみを透過させる光フィルタと、前記第１の受光素子、前記第２の受光素子、および前記光フィルタを一体に取り付けた受光素子用キャリアとを有することを特徴としている。
【００２３】
また、上記目的を達成するために、本発明の他の態様の受光素子用キャリアでは、末広がり状のレーザ光の照射領域内に配置され、レーザ光の一部を受光する第１の受光素子と、前記末広がり状のレーザ光の照射領域内に配置され、レーザ光の他部を受光する第２の受光素子と、前記第１の受光素子の受光方向に所定の距離を隔てて配置され、所定波長帯のレーザ光を透過させる光フィルタとを一体に実装することを特徴としている。
【００２４】
【発明の実施の形態】
以下本発明の実施形態について、図面を参照しながら説明する。
【００２５】
（第１の実施の形態）
図１および図２は、本発明の第１の実施の形態に係わる光送信モジュールを示す図で、図１は箱型の筐体に冠着される蓋を取り除いて見たその平面図、図２は、図１より筐体の側壁板を取り除いて見たその側面図である。
【００２６】
図１および図２に示すように、本実施の形態の光送信モジュール１１は、上部が開口した長方形状の箱型の筐体１２と、筐体１２の側壁部の貫通孔から出力されるレーザ光を結合する光ファイバ２３と筐体１２とを固定する光ファイバ接続部１３と、筐体１２に収納される光学部品を実装した基板１４と、基板１４を載置するペルチェモジュール１５と、筐体１２に冠着される蓋（図示せず）を有している。
【００２７】
この基板１４には、所定波長のレーザ光を出力する発光素子１６と、発光素子１６の一方の端面（紙面上で右側）から出力されたレーザ光を平行光にする第１のレンズ１７と、発光素子１６の他方の端面（紙面上で左側）から出力されるモニタ用のレーザ光（モニタ光）を所定の末広がり状のレーザ光にする第２のレンズ１８と、末広がり状のレーザ光の照射領域内に配置され、末広がり状のレーザ光の一部を受光する第１の受光素子１９と、末広がり状のレーザ光の照射領域内に配置され、末広がり状のレーザ光の他部を受光する第２の受光素子２０と、第２のレンズ１８と第１の受光素子１９の間に配置され、所定波長帯のレーザ光のみを透過させる光フィルタ２１と、第１の受光素子１９、第２の受光素子２０、および光フィルタ２１を一体に取り付けた受光素子用キャリア２２とが実装されている。
【００２８】
この受光素子用キャリア２２は、発光素子１６への戻り光を防止するために発光素子１６に対して１０°乃至２０°の範囲で傾斜して実装するのが適当である。
【００２９】
また、筐体１２の側壁部には、光ファイバ２３を接続するファイバ接続部１３と、第１のレンズ１７からの平行光を集光して光ファイバに結合させる第３のレンズ２４が取り付けられている。
【００３０】
更に、第１の受光素子１９および第２の受光素子２０から出力される出力電流に基づいて、発光素子１６の波長を制御するためにペルチェモジュール１５を制御する制御部（図示せず）とを有している。
【００３１】
図３は、発光素子１６と、第２のレンズ１８と、第１の受光素子１９、および第２の受光素子２０の光学的な結合関係を示す平面図で、発光素子１６から出力されるレーザ光の広がり角度をθ１、第２のレンズ１８を透過したレーザ光の広がり角度をθ２、発光素子１６と第２のレンズ１８の距離をＬ１、第２のレンズ１８と第１および第２の受光素子１９、２０の距離をＬ２、発光素子１６から出力されたレーサー光が第２のレンズ１８を照射するレーザ光の直径をＤ１、第１の受光素子１９と第２の受光素子２０の距離をｄ、第１および第２の受光素子１９、２０を照射するレーザ光の直径をＤ２とする。
【００３２】
図３に示すように、ＷＤＭ通信システムに用いられる赤外の発光素子１６から出力されるレーザ光は、通常３０°乃至４０°の広がり角度θ１を有し、断面がほぼ円形状のレーザ光である。このレーザ光の断面の強度分布はほぼガウス分布であり、その直径は光の強度が１／ｅ２になる大きさで定義される。
【００３３】
本実施の形態においては、このレーザ光を第２のレンズ１８により平行、あるいは集光された光にするのではなく、受光素子用キャリア２２に取り付けられた第１の受光素子１９、および第２の受光素子２０を一括して照射できるように末広がり状のレーザ光にしている。
【００３４】
このためには、第１の受光素子１９と第２の受光素子２０を照射するレーザ光の直径Ｄ２は、第１の受光素子１９と第２の受光素子２０の距離ｄに対して１．２倍程度が適当である。
【００３５】
例えば、第１の受光素子１９と第２の受光素子２０のサイズがそれぞれ０．５ｍｍ角の場合、第１の受光素子１９と第２の受光素子２０の距離ｄは、２乃至２．５ｍｍ程度であり、従って、第１の受光素子１９と第２の受光素子２０を照射するレーザ光の直径Ｄ２は、２．５乃至３．０ｍｍ程度が適当である。
【００３６】
次に、この第１の受光素子１９と第２の受光素子２０を照射するレーザ光の直径Ｄ２が得られるように、発光素子１６と第２のレンズ１８の距離Ｌ１と、第２のレンズ１８と第１の受光素子１９および第２の受光素子２０の距離Ｌ２から、第２のレンズ１８を設計する。
【００３７】
例えば、第２のレンズ１８を透過したレーザ光の広がり角度θ２が、レーザ光の広がり角度θ１より小さい場合には、第２のレンズ１８を凸レンズとし、第２のレンズ１８の焦点距離は、発光素子１６と第２のレンズ１８の距離Ｌ１より若干長くすれば良い。
【００３８】
次に、第２のレンズ１８の位置を調整して、第１の受光素子１９と第２の受光素子２０を照射する所定の直径Ｄ２のレーザ光が得られように第１のアクティブアライメントをおこなうことができる。
【００３９】
これにより、集光したレーザ光を透過光と９０度方向を変えた反射光に２分岐するビームスプリッタ、あるいは平行なレーザ光を９０度未満の傾斜した２つの方向に分岐するプリズムが不要となり、部品数の削減と第２のアクティブアライメントが省略できる。
【００４０】
図４は本実施の形態の第１の受光素子１９と、第２の受光素子２０と、光フィルタ２１を一体に取り付けた受光用キャリア２２を示す斜視図である。
【００４１】
図４に示すように、四角柱状ブロック３１の第１の主面３２に第１の凸部３３と第２の凸部３４を離間形成し、第１の凸部３３と第２の凸部３４間における第１の主面部３２ａに第１の受光素子１９が固着され、光フィルタ２１が所定の距離を隔てて第１の受光素子１９を覆うように第１の凸部３３と第２の凸部３４の上にブリッジ状に固着され、第１の凸部３３と第２の凸部３４の間を除く第１の主面部３２ｂに第２の受光素子２０が固着されている。
【００４２】
図５は光フィルタ２１の光透過率と入射角度の関係を示したもので、ａは誘電体多層膜の光透過率と入射角度の関係、ｂはエタロンの光透過率と入射角度の関係を示す。
【００４３】
図５に示すように、エタロンｂでは光の共振特性を利用しているためアライメント範囲Ｂは、±０．１乃至±０．２度と狭いのに対して、誘電体多層膜ａでは光のカットオフ特性を利用しているためアライメント範囲Ａは、凡そ±１．５度とブロードで入射角度の調整幅が広い。
【００４４】
このため、所定波長で所定のモニタ出力が得られるようにレーザ光の入射角度を調整するための第３のアクティブアライメントが不要である。
【００４５】
また、受光用キャリア２２には、第１の主面３２とこの第１の主面３２に連接する第２の主面３７にかけて第１の受光素子１９を電気的に外部に導出するための配線層３５ａ、３５ｂと、第２の受光素子２０を電気的に外部に導出するための配線層３６ａ、３６ｂが形成されている。
【００４６】
そして、接続ワイヤ３８ａにより第１の受光素子１９の表面電極３９が配線層３５ａに、また第１の受光素子１９の裏面電極（図示せず）が導電性接着材により配線層３５ｂにそれぞれ接続されている。
【００４７】
同じく、接続ワイヤ３８ｂにより第２の受光素子２０の表面電極４０が配線層３６ａに、また第２の受光素子２０の裏面電極（図示せず）が導電性接着材により配線層３６ｂにそれぞれ接続されている。
【００４８】
これにより、従来の光送信モジュールでは、３回のアクティブアライメントが必要なのに対して、１回のアクティブアライメントで済ませることが可能である。
【００４９】
以上説明したように、第１の実施の形態による光送信モジュールでは、発光素子から出力されるレーザ光を末広がり状のレーザ光とし、誘電体多層膜からなる光フィルタと波長および光出力モニタ用の受光素子を一体に受光素子用キャリアに実装している。
【００５０】
従って、部品数とアクティブアライメント回数の削減が可能であり、光送信モジュールの組立て工程の短縮と組立て歩留まりの向上が図られる。
【００５１】
（第１の実施の形態の変形例１）
図６は本発明の第１の実施の形態の変形例１に係わる発光素子１６と、第２のレンズ５１と、第１の受光素子１９、および第２の受光素子２０の光学的な結合関係を示す平面図である。本変形例において、上記第１の実施の形態と同一の構成部分には、同一符号を付してその部分の説明は省略し、異なる部分について説明する。
【００５２】
本変形例が上記第１の実施の形態と異なる点は、発光素子１６から出力されるレーザ光を末広がり状のレーザ光にする第２のレンズを凹レンズ５１としたことにある。
【００５３】
図６に示すように、凹レンズ５１により、凹レンズ５１を透過したレーザ光の広がり角度θ３を発光素子１６から出力されるレーザ光の広がり角度θ１より大きくすることができるので、所定の直径Ｄ２のレーザ光を得るための発光素子１６と凹レンズ５１の距離Ｌ３と、凹レンズ５１と第１および第２の受光素子１９、２０の距離Ｌ４が短縮可能である。
【００５４】
即ち、凹レンズ５１の焦点距離は、発光素子１６と凹レンズ５１の距離Ｌ３より若干長くして、凹レンズ５１の位置を調整することにより、所定の直径Ｄ２のレーザ光が得られるように第１のアクティブアライメントをおこなえば良い。
【００５５】
以上説明したように、第１の実施の形態の変形例１では、凹レンズ５１により、発光素子から受光素子への光路を短縮して、光送信モジュールを小型化することが可能である。
【００５６】
（第１の実施の形態の変形例２）
図７は本発明の第１の実施の形態の変形例２に係わる発光素子１６と、第２のレンズ５２と、第１の受光素子１９、および第２の受光素子２０の光学的な結合関係を示す図で、図７（ａ）はその平面図、図７（ｂ）はその側面図である。本変形例において、上記第１の実施の形態と同一の構成部分には、同一符号を付してその部分の説明は省略し、異なる部分について説明する。
【００５７】
本変形例が上記第１の実施の形態と異なる点は、発光素子１６から出力されるレーザ光を末広がり状のレーザ光にする第２のレンズを非球面レンズ５２としたことにある。
【００５８】
図７に示すように、水平方向の曲率と垂直方向の曲率の異なる非球面レンズ５２により、非球面レンズ５２を透過したレーザ光の水平方向の広がり角度θ２と垂直方向の広がり角度θ４を異ならしめて、レーザ光の断面形状を水平方向の長径がＤ２、垂直方向の短径がＤ３である非円形状としている。
【００５９】
これにより、第１の受光素子１９および第２の受光素子２０が受光しない領域のレーザ光を集光して、受光する光量を増やすことができる。
【００６０】
即ち、非球面レンズ５２の水平方向の焦点距離は、発光素子１６と非球面レンズ５２の距離Ｌ１より若干長くし、非球面レンズ５２の垂直方向の焦点距離は、発光素子１６と非球面レンズ５２の距離Ｌ１より若干短く設定して、非球面レンズ５２の位置を調整することにより、水平方向の長径がＤ２、垂直方向の短径がＤ３の所定の非円形状のレーザ光が得られるように第１のアクティブアライメントをおこなえば良い。
【００６１】
以上説明したように、第１の実施の形態の変形例２では、受光素子の受光量を増やすことができるので、受光素子の受光感度を向上せさることが可能である。
【００６２】
（第１の実施の形態の変形例３）
図８は本発明の第１の実施の形態の変形例３に係わる発光素子１６と、第２のレンズ５３と、第１の受光素子１９、および第２の受光素子２０の光学的な結合関係を示す図で、図８（ａ）はその平面図、図８（ｂ）はその側面図である。本変形例において、上記第１の実施の形態と同一の構成部分には、同一符号を付してその部分の説明は省略し、異なる部分について説明する。
【００６３】
本変形例が上記第１の実施の形態と異なる点は、発光素子１６から出力されるレーザ光の直径がＤ２となる位置に第１の受光素子１９および第２の受光素子２０を配置したことにある。
【００６４】
図８に示すように、垂直方向にのみ曲率を有するシリンドリカルレンズ５３により、垂直方向の広がり角度θ５のみを異ならしめて、レーザ光の断面形状を水平方向の長径がＤ２、垂直方向の短径がＤ３である非円形状としている。
【００６５】
これにより、発光素子１６と第１および第２の受光素子１９、２０の距離Ｌ５＋Ｌ６は一定となり、垂直方向の短径Ｄ３のみを考慮した発光素子１６とシリンドリカルレンズ５３の距離Ｌ５、シリンドリカルレンズ５３の垂直方向の焦点距離を定めることができる。
【００６６】
即ち、シリンドリカルレンズ５３の垂直方向の焦点距離は、発光素子１６とシリンドリカルレンズ５３の距離Ｌ５より若干短く設定して、シリンドリカルレンズ５３の位置を調整することにより、垂直方向の短径がＤ３の所定の非円形状のレーザ光が得られるように第１のアクティブアライメントをおこなえば良い。
【００６７】
以上説明したように、第１の実施の形態の変形例３では、受光素子の受光量を増やして受光素子の受光感度を向上せさることができるとともに、光学系の設計、製造が容易になる。
【００６８】
（第１の実施の形態の変形例４）
図９は本発明の第１の実施の形態の変形例４に係わる第１の受光素子１９と、第２の受光素子２０と、光フィルタ２１を一体に取り付けた受光用キャリア６１を示す斜視図である。本変形例において、上記第１の実施の形態と同一の構成部分には、同一符号を付してその部分の説明は省略し、異なる部分について説明する。
【００６９】
図９に示すように、四角柱状ブロック３１の第１の主面３２に開口溝６２を形成し、開口溝６２の底面部６３に第１の受光素子１９が固着され、光フィルタ２１が所定の距離を隔てて第１の受光素子１９を覆うように開口溝６２を跨いで第１の主面３２に固着され、第２の受光素子２０が光フィルタ２１に隣接して第１の主面３２に固着されている。
【００７０】
これにより、第２の受光素子２０の受光するレーザ光が光フィルタ２１によって遮蔽される恐れがなく、第２の受光素子２０の受光感度を安定させることができる。
【００７１】
以上説明したように、第１の実施の形態の変形例４では、第１の受光素子１９と第２の受光素子２０の受光感度のばらつきを抑えることが可能である。
【００７２】
上述した実施の形態では、発光素子１６から出力されるレーザ光を末広がり状のレーザ光にする第２のレンズとして、屈折レンズを使用する場合について説明したが、本発明はこれに限定されるものではなく、フレネルレンズあるいはゾーンプレートなどの回折型レンズを使用しても構わない。
【００７３】
回折型レンズは、屈折レンズに比べて半導体製造技術を適用しやすい構造であり、例えばシリコン基板にリソグラフィ技術や反応性イオンエッチング技術などの微細加工技術を適用して、薄くて小型の所望のレンズを得ることができる。
【００７４】
また、光フィルタ２１を構成する誘電体多層膜は、光のカットオフ特性を利用しているだけなので、ローパスフィルタ、ハイパスフィルタ、あるいはバンドパスフィルタのいずれのタイプでも構わない。
【００７５】
【発明の効果】
以上説明したように、本発明の光送信モジュールによれば、部品数およびアクティブアライメント回数を削減し、組立て時間の短縮並びに製品コストの低減が可能な光送信モジュールを提供することができる。
【図面の簡単な説明】
【図１】本発明の第１の実施の形態に係わる光送信モジュールを示す平面図。
【図２】本発明の第１の実施の形態に係わる光送信モジュールを示す側面図。
【図３】本発明の第１の実施の形態に係わる発光素子から受光素子までの光学結合の配置を示す平面図。
【図４】光フィルタの透過率と入射角度の関係を示す図。
【図５】本発明の第１の実施の形態に係わる受光素子用キャリアを示す斜視図。
【図６】本発明の第１の実施の形態に係わる変形例１の発光素子から受光素子までの光学結合の配置を示す平面図。
【図７】本発明の第１の実施の形態に係わる変形例２の発光素子から受光素子までの光学結合の配置を示す図で、図７（ａ）はその平面図、図７（ｂ）はその側面図。
【図８】本発明の第１の実施の形態に係わる変形例３の発光素子から受光素子までの光学結合の配置を示す図で、図８（ａ）はその平面図、図８（ｂ）はその側面図。
【図９】本発明の第１の実施の形態に係わる変形例４の受光素子用キャリアを示す斜視図。
【図１０】従来の光送信モジュールを示す平面図。
【図１１】従来の他の光送信モジュールを示す平面図。
【符号の説明】
１１  光送信モジュール
１２  筐体
１３  ファイバ接続部
１４  基板
１５  ペルチェモジュール
１６  発光素子
１７、１８、２４  レンズ
１９  第１の受光素子
２０  第２の受光素子
２１  光フィルタ
２２、６１  受光素子用キャリア
２３  光ファイバ
３１  四角柱ブロック
３２  第１の主面
３３  第１の凸部
３４  第２の凸部
３５ａ、３５ｂ、３６ａ、３６ｂ  配線層
３７  第２の主面
３８ａ、３８ｂ  接続ワイヤ
３９、４０  表面電極
５１  凹レンズ
５２  非球面レンズ
５３  シリンドリカルレンズ
６２  開口溝
６３  底面部
【図１】
2004349606.tif 000003
【図２】
2004349606.tif 000004
【図３】
2004349606.tif 000005
【図４】
2004349606.tif 000006
【図５】
2004349606.tif 000007
【図６】
2004349606.tif 000008
【図７】
2004349606.tif 000009
【図８】
2004349606.tif 000010
【図９】
2004349606.tif 000011
【図１０】
2004349606.tif 000012
【図１１】
2004349606.tif 000013